(57)【要約】【課題】入場用のターミナルゲート前の混雑の解消や縮減を目的としている。【解決手段】コンテナターミナル輸送管理システムは、ターミナルオペレーションシステム（ＴＯＳ）と、このＴＯＳに接続され、コンテナターミナル内のクラーク、荷主・海貨業者・倉庫業者等や陸運業者がアクセス可能な端末を有する港湾情報システムとを備えている。船社端末から入力された搬入手続きに必要な貨物情報を、前記ＴＯＳを経由して港湾情報システムに送信・蓄積し、当該港湾情報システムを経由して海貨業者・倉庫業者等の端末に表示し、搬入票情報をＴＯＳに送信し、送信情報とＴＯＳに保存されている船社端末からの情報との照合をなし、入場用のターミナルゲートではＰＳカードのドライバー情報により紐付いた貨物の通過許可の一部手続き・貨物の蔵置場所のドライバーへの指示と同時に、ドライバーのコンテナターミナルへの本人確認その他措置に基づく通過許可を円滑に行う。【選択図】図１
2020166724.tif 000002
【特許請求の範囲】
【請求項１】
搬入車両がコンテナターミナルに到着する前に、搬入票情報（貨物情報）が電子情報としてコンテナターミナルに提供され、搬入車両がコンテナターミナルに到着する前に搬入票情報（貨物情報）と船社が保有するブッキング情報（貨物情報）の照合を可能とし、    ブッキング情報の正誤を事前に荷主や海貨業者・倉庫業者・荷主等やコンテナターミナル内のクラークへ通達し、コンテナターミナルに搬入車両が到達する前に搬入票情報を修正できることを特徴とするコンテナターミナル輸送管理システム。
【請求項２】
入場用のターミナルゲートを有しコンテナが蔵置されるコンテナターミナルを管理するとともに船社端末からの情報を入力可能なターミナルオペレーションシステム（ＴＯＳ）と、このターミナルオペレーションシステム（ＴＯＳ）に接続され、ターミナル内のクラーク、荷主・海貨業者・倉庫業者等や陸運業者がアクセス可能な端末を有する港湾情報システムとを有し、船社端末から入力された搬入手続きに必要な貨物情報を、前記ＴＯＳを経由して港湾情報システムに送信・蓄積し、当該港湾情報システムを経由して海貨業者・倉庫業者等の端末に表示し、当該端末から総重量などの追加登録を行い、この追加情報を含む搬入票情報をＴＯＳに送信し、送信情報とＴＯＳに保存されている船社端末からの情報との照合をなすことを特徴とするコンテナターミナル輸送管理システム。
【請求項３】
陸運業者端末からコンテナ番号、ドライバー情報を含む搬入予約情報が港湾情報システムに入力され、この搬入予約情報は搬入票情報とともに、コンテナターミナルの入場用のターミナルゲートにてＰＳ（Ｐｏｒｔ  Ｓｅｃｕｒｉｔｙ）カードリーダにＰＳカードをかざすことで、ＰＳカードのドライバー情報によりＴＯＳの貨物情報と紐付き、ターミナルゲートでの搬入車両の通過許可の一部手続きとコンテナ蔵置場所の提示を可能にしたことを特徴とする請求項２に記載のコンテナターミナル輸送管理システム。
【請求項４】
国際航海船舶及び国際港湾施設の保安の確保等に関する法律が定める本人確認その他措置を講ずる出入管理情報システムの一部であるＰＳ（Ｐｏｒｔ  Ｓｅｃｕｒｉｔｙ）カードリーダへＰＳ（Ｐｏｒｔ  Ｓｅｃｕｒｉｔｙ）カードをかざすことにより、
制限区域に指定されている区域（コンテナターミナル）への陸運ドライバーの本人確認その他措置の一部又は全てを行うことで円滑に入場可否を判断し、
入場可能と判断された場合は陸運ドライバーへ前記ターミナルゲートの通過許可を出すことで、
ターミナルゲートでの搬入車両の通過許可の一部手続きとコンテナ蔵置場所への円滑な指示と同時に、ドライバーのコンテナターミナル（ＳＯＬＡＳ区域）への円滑な入場許可を可能にしたことを特徴とする請求項３に記載のコンテナターミナル輸送管理システム。
【発明の詳細な説明】
【技術分野】
【０００１】
本発明は、コンテナターミナル輸送管理システムに係り、特にコンテナターミナルのゲートに到着した車両の流れをスムーズにできるシステムに関する。
【背景技術】
【０００２】
コンテナをコンテナターミナルに運び入れる場合、コンテナを積んだシャーシをヘッドと呼ばれる車両により牽引し、コンテナターミナルの入り口であるゲートでコンテナの重量やシール番号を確認し、コンテナターミナル内の指定された積み下ろし場所まで搬入する。これらの一連の作業は、まず、倉庫などから貨物をバンニングし、海貨業者・倉庫業者などが搬入票（紙）に、総重量、コンテナ自重、シール番号を記入する。そして、陸運業者はトレーラを選定し、その運転手に搬入票（紙）を手渡し、コンテナターミナルのゲートに到着したとき、搬入票（紙）をスキャナで読み取らせる。これにより、搬入票（紙）の情報のうち、コンテナの総重量、コンテナ自重、シール番号の３項目は、コンテナ搬入時に初めてコンテナターミナル側に通知される。コンテナターミナル内のクラークが搬入票（紙）の情報とＴＯＳ（ターミナルオペレーションシステム）上の貨物情報とを照合し、ＴＯＳからターミナルゲートのヘッドにコンテナの蔵置場所情報が送信される。
【０００３】
ところが、従来の方法では、紙製の搬入票を用いて手入力しなければならず、ターミナルゲートでは総重量、コンテナ自重、シール番号の３項目は、コンテナ搬入時に初めてコンテナターミナル側に伝達されるため、それまでは準備活動ができない。また、コンテナターミナル内のクラークがスキャンされた搬入票（紙）とＴＯＳ上の貨物情報を照合する処理に時間を要している。また、搬入票（紙）の貨物情報とＴＯＳ上の貨物情報が合致しない場合、コンテナターミナル内のクラークと海貨業者・倉庫業者等の間で正しい貨物情報の確認作業が必要となり、ターミナルゲートにおける通過許可手続きに更なる時間を要している。
【０００４】
これに対し、特許文献１に記載の技術のように、予めコンテナターミナルへの導入経路に車両認識ゲートを設け、ここにトレーラが入ったときに車両番号やコンテナ番号を認識装置からキャッチし、そのデータを無線装置で受付ゲートに送るようにし、時間短縮を図るようにしたものがある。このようにすれば、少なくともトレーラがゲートに到着したときには運んできたコンテナの蔵置箇所などは調べておくことができる。
【０００５】
また、特許文献２のように、コンテナターミナルに対して搬出入するコンテナに関する情報を、指定端末装置から運送業者等がターミナル管理サーバに通知する際に、運転者に携行させたＩＣタグに固有の識別情報を併せて通知するものも知られている。トレーラはＩＣタグを携行し、入り口ゲートのゲート受付装置の載置台にＩＣタグを載置させる。    ゲート受付装置に接続されたゲート端末装置が、このＩＣタグの識別情報に対応したコンテナの情報をターミナル管理サーバから読み出し、ゲート受付装置を介してＩＣタグの表示部に、該コンテナの蔵置位置を表示することができる。このようにすることで、ゲート部における運転手への指示を、紙を介さず電子的に処理することで、効率化を図っている。
【０００６】
また、国際航海船舶及び国際港湾施設の保安の確保等に関する法律の定めにより、制限区域に指定されている区域に入場する場合は、制限区域に人または車両が正当な理由なく立ち入ることを防止するため、本人確認その他の措置を講ずることとされている。トレーラがコンテナターミナルに入場する際には、この本人確認その他措置を講ずる出入管理情報システムの一部であるＰＳ（Ｐｏｒｔ  Ｓｅｃｕｒｉｔｙ）カードリーダへＰＳ（Ｐｏｒｔ  Ｓｅｃｕｒｉｔｙ）カードをかざすことにより本人確認その他措置を講ずることでゲート部での手続き効率化を図っている。
【先行技術文献】
【特許文献】
【０００７】
【特許文献１】特開２００８−２１４０４４号公報
【特許文献２】特開２００９−２２０９５２号公報
【発明の概要】
【発明が解決しようとする課題】
【０００８】
ところが、特許文献１の場合には車両認識ゲートを別途に設ける必要があり、これは不経済である。特許文献２の場合には高価なＩＣタグや指定端末装置を運転手に持たせなければならず、これも不経済である。
従来の紙や紙の代わりに用いられる電子情報としての搬入票の場合、搬入票情報（貨物情報）がトレーラと同時にコンテナターミナルに到着し、そこから搬入票情報（貨物情報）と船社が保有するブッキング情報（貨物情報）の照合を介していたため、ターミナルゲート部での処理に時間を要するとともに、本来ターミナルゲートに到着すべきでないコンテナがターミナルゲートに到着する場合や搬入票情報（貨物情報）または船社が所有するブッキング情報（貨物情報）に誤入力がある場合に、その都度不要な処理・情報の確認作業を行う必要が生じていた。
【課題を解決するための手段】
【０００９】
本発明は、上記従来の問題点に着目し、トレーラがコンテナターミナルに到着する前に、搬入票情報（貨物情報）が電子情報としてコンテナターミナル内のクラークに提供され、トレーラがコンテナターミナルに到着する前に搬入票情報（貨物情報）と船社が保有するブッキング情報（貨物情報）の照合を可能とし、ブッキング情報の正誤を事前に通達し、照合の結果として情報が合致していなければ海貨業者・倉庫業者・荷主等やターミナル内のクラークに情報の確認・修正の必要性を通達することを特徴としている。
【００１０】
また、本発明に係るコンテナターミナル輸送管理システムは、入場用のターミナルゲートを有しコンテナが蔵置されるコンテナヤードを管理するとともに船社端末からの情報を入力可能なターミナルオペレーションシステム（ＴＯＳ）と、このターミナルオペレーションシステム（ＴＯＳ）に接続され、ターミナル内のクラーク、荷主・海貨業者・倉庫業者等や陸運業者がアクセス可能な端末を有する港湾情報システムとを有し、船社端末から入力された搬入手続きに必要な貨物情報を船社端末から前記ＴＯＳを経由して港湾情報システムに送信・蓄積し、当該港湾情報システムを経由して海貨業者・倉庫業者の端末に表示し、当該端末からコンテナ総重量などの追加登録（必要であれば既に当該港湾情報システムに蓄積された貨物情報も修正）を行い、この追加・修正情報を含む搬入票情報をＴＯＳに送信し、送信情報とＴＯＳに保存されている船社端末からの情報との照合をなすことを特徴とするものである。
【００１１】
また、この場合において、陸運業者端末からコンテナ番号、ドライバー情報を含む搬入予約情報が港湾情報システムに入力され、この搬入予約情報（ドライバー情報含む）・搬入票情報は、コンテナターミナルの入場用のターミナルゲートでのＰＳ（Ｐｏｒｔ  Ｓｅｃｕｒｉｔｙ）カードリーダによるＰＳ（Ｐｏｒｔ  Ｓｅｃｕｒｉｔｙ）カード（ドライバー情報含む）の読み取りにより再度ＴＯＳに搬入票の情報を送信することでターミナルゲートの入場可否の判断に資する情報の照合を行い、照合の結果として情報が合致していることを１つの条件として、コンテナ搬入車両へ前記ターミナルゲートの通過許可を出すことを特徴とする。
【００１２】
また、国際航海船舶及び国際港湾施設の保安の確保等に関する法律が定める本人確認その他措置を講ずる出入管理情報システムの一部であるＰＳ（Ｐｏｒｔ  Ｓｅｃｕｒｉｔｙ）カードリーダへＰＳ（Ｐｏｒｔ  Ｓｅｃｕｒｉｔｙ）カードをかざすことにより、制限区域に指定されている区域（コンテナターミナル）への陸運ドライバーの本人確認その他措置の一部又は全てを行うことで円滑に入場可否を判断し、入場可能と判断された場合は陸運ドライバーへ前記ターミナルゲートの通過許可を出すことで、前記の港湾情報システムに登録されたコンテナ情報とターミナルオペレーションシステム（ＴＯＳ）に予め入力されている貨物のコンテナ番号との電子的な情報の照合を１つの条件としたコンテナ搬入車両へ前記ターミナルゲートの通過許可と同時にターミナルゲートにおける一括手続きを可能とすることを特徴とする。
【発明の効果】
【００１３】
上記構成によって、本発明では、搬入手続きに必要となる貨物情報をＴＯＳから港湾情報システムへ送信し、港湾情報システムを経由し、海貨業者・倉庫業者等の端末に表示し、海貨業者・倉庫業者等の端末で、港湾情報システムから呼び出した貨物情報を必要であれば修正し、コンテナ総重量、コンテナ自重、シール番号を港湾情報システムに追加登録することで、港湾情報システムに登録された海貨業者・倉庫業者等が所有している貨物情報と、ターミナルオペレーションシステム（ＴＯＳ）に入力されている船社が所有している貨物情報を照合し、照合結果を港湾情報システムから荷主・海貨業者・倉庫業者等やコンテナターミナル内のクラークに通達する。これによりコンテナターミナルにおいて、コンテナ到着前に搬入票情報を照合することができるのである。そして、ＴＯＳでは入場用のターミナルゲートが管理下にあるので、ここにトラックの運転手が持参しているＩＤカードとして機能するＰＳ（Ｐｏｒｔ  Ｓｅｃｕｒｉｔｙ）カードをＰＳ（Ｐｏｒｔ  Ｓｅｃｕｒｉｔｙ）カードリーダにかざすことにより、港湾情報システム上で運転手情報と紐付けされたコンテナ情報が送信され、運ぶべき照合データ（搬入票情報）からターミナルゲートでの搬入車両の通過許可の一部手続きを行いコンテナ蔵置場所情報が送信され、コンテナターミナルへの移動がスムーズに行うことができる。
【００１４】
また、国際航海船舶及び国際港湾施設の保安の確保等に関する法律が定める本人確認その他措置を講ずる出入管理情報システムの一部であるＰＳ（Ｐｏｒｔ  Ｓｅｃｕｒｉｔｙ）カードリーダへＰＳ（Ｐｏｒｔ  Ｓｅｃｕｒｉｔｙ）カードをかざすことにより、制限区域に指定されている区域（コンテナターミナル）への陸運ドライバーの本人確認その他措置の一部又は全てを行うことで円滑に入場可否を判断し、入場可能と判断された場合は陸運ドライバーへ前記ターミナルゲートの通過許可を出す。よって、ＰＳ（Ｐｏｒｔ  Ｓｅｃｕｒｉｔｙ）カードリーダへＰＳ（Ｐｏｒｔ  Ｓｅｃｕｒｉｔｙ）カードをかざすことにより、前記のコンテナ搬入車両へターミナルゲートの通過許可に必要な前記貨物情報の照合と同時に、陸運ドライバーのターミナルゲートの通過許可に必要な本人確認その他措置の一部又は全てを一括で行うことで、円滑なターミナルゲートでの手続きが可能となる。
【図面の簡単な説明】
【００１５】
【図１】本発明に係るコンテナターミナル輸送管理システムの実施例の構成図である。
【図２】荷主３０からのＴＯＳ１０に送られ港湾情報システム２８での保有する情報である。
【図３】配車係からの予約情報が組み込まれた港湾情報システムの保有情報である。
【図４】海貨業者・倉庫業者等のバンニングにより発生した情報を入れた港湾情報システム保有情報である。
【図５】港湾情報システムとＴＯＳのデータ比較表である。
【図６】港湾情報システムからＴＯＳへの送信保有情報である。
【発明を実施するための形態】
【００１６】
以下に本発明に係るコンテナターミナル輸送管理システムの実施例を、図面を参照して、コンテナが輸出される場合について詳細に説明する。
コンテナが蔵置されるコンテナターミナル１２があり、そのコンテナターミナル１２内ではコンテナの集積や積み出しを行うクレーンや、コンテナの移動を行うコンテナ搬送台車などが用いられている。これらの機器を管理するターミナルオペレーションシステム（以下ＴＯＳという）１０が設けられており、これは入場用のターミナルゲート１３の端末を有してあらゆる機器の操作が可能となっており、また、コンテナ蔵置箇所を出力可能となっている。また、船社１４からの船社端末１６を介してブッキング情報が入力可能とされている。
【００１７】
さらに、ＴＯＳ１０と通信可能に接続され、コンテナターミナル内のクラーク１７、海貨業者・倉庫業者１８や陸運（配車係）２０によるアクセス可能なクラーク端末２２、海貨端末２４、陸運端末２６を有する港湾情報システム２８が設けられている。この港湾情報システム２８は海運関係者が接続し、海運に関係する情報の交換を可能としている。
【００１８】
今、実入りコンテナをコンテナターミナル１２内に搬入する場合（輸出）は次のようになる。
まず、ブッキング時に、荷主３０は船社１４に貨物明細を共有する。更に、荷主３０は海貨業者・倉庫業者等１８にシッピングインストラクション（船積指図書）を与えておく。海貨業者・倉庫業者等１８は、これを受けて陸運（配車係）２０に連絡をして、所定の搬入車両３２と運転手３４を手配しておく。
【００１９】
＜１：ブッキング情報の送信（船社１４→ＴＯＳ１０）＞
荷主３０は売買契約の納期に合わせて、商品を準備すると同時に適船を選んで、船社１４にブッキングを行う。これを受けて船社１４は船の空き情報などをチェックした上で、ブッキングナンバーを荷主３０に付与すると同時にＴＯＳ１０にブッキング情報を送信する。ブッキング情報としては、船積み予定船、積地、揚地、荷渡地、品目、数量、海貨業者名などである。
【００２０】
＜２：貨物情報の送信（ＴＯＳ１０→港湾情報システム２８）＞
送信したブッキング情報のうち、搬入票に必要な貨物情報をＴＯＳ１０から港湾情報システム２８に送信する。ブッキング情報には所属する会社や運搬コンテナに関する情報が含まれるが、港湾情報システム２８に送信する貨物情報は、ブッキング情報のうち、以下の９項目（船社名、ブッキング番号、本船名、航海番号、揚港、荷渡地、荷主名、コンテナ種別、コンテナ番号）を送るものとしている。この送信情報の項目は、船社１４とＴＯＳ１０との間で任意に調整可能である。
したがって、港湾情報システム２８の保有する情報としては、図２に示されるデータとなる。
【００２１】
＜３：搬入予約情報の送信（陸運・配車係２０→港湾情報システム２８）＞
荷主３０から海貨業者・倉庫業者等１８を通じて陸運（配車係）２０に連絡が入るので、その陸運（配車係）２０が使用する搬入車両３２と運転者３４とを特定し、搬入予約を港湾情報システム２８に送信する。送信情報としては、ａ）コンテナ番号、ｂ）ドライバー情報（ＰＳカード情報）、ｃ）車両番号 、ｄ）搬入予約日／時間枠である。
したがって、港湾情報システム２８が保有する情報に上記ａ）コンテナ番号、ｂ）ドライバー情報（ＰＳカード情報）、ｃ）車両番号 、ｄ）搬入予約日／時間枠などの予約情報を加え、港湾情報システム２８の情報は、図３に示されるデータとなる。
【００２２】
＜４：貨物情報の呼び出し（港湾情報システム２８→海貨業者・倉庫業者等１８）＞
海貨業者・倉庫業者等１８でコンテナバンニングを行う際、貨物情報（９つ）を港湾情報システム２８から海貨端末２４に呼び出す。
【００２３】
＜５：貨物情報の追加・内容確認送信（海貨業者・倉庫業者等１８→港湾情報システム２８＞
コンテナバンニングした後の、総重量、コンテナ自重、シール番号を追加登録する。
荷主３０からの貨物情報と以下の貨物情報（１２項目）を照合し、必要であれば港湾情報システム２８の登録情報を修正後、端末から港湾情報システム２８に送信する。
送信情報としては、船社名、ブッキング番号、本船名、航海番号、揚港、荷渡地、荷主名、コンテナ種別、コンテナ番号であり、これに追加情報として送信されるのは、総重量、コンテナ自重、シール番号となる。
したがって、港湾情報システム２８が保有する情報は、総重量、コンテナ自重、シール番号が追加情報として加わった、図４に示すようになる。
【００２４】
＜６：貨物情報と搬入票（電子）情報を照合（港湾情報システム２８⇔ＴＯＳ１０）＞
次に、ＴＯＳ１０保有の貨物情報（９つ）と港湾情報システム２８保有の搬入票（電子）を示す図４の情報を、図５に示したように、電子的に照合する。
これはＴＯＳ１０の持っている荷主３０データと、港湾情報システム２８を介して種々操作したデータとが一致するか否かを検証するものである。いま、ＴＯＳ１０の有している情報は、船社名、ブッキング番号、本船名、航海番号、揚港、荷渡地、荷主名、コンテナ種別、コンテナ番号であるので、これを照合情報として、港湾情報システム２８からの情報と比較するのである。
港湾情報システム２８の情報は、上記９つの情報に加えて、コンテナバンニングによって加えられたコンテナの総重量、コンテナ自重、シール番号、およびコンテナ番号、ドライバー情報（ＰＳカード情報）、車両番号、搬入予約日／時間枠である。比較対象は９つの情報で十分であり、電子的に同一か否かが照合される。この際、港湾情報システム２８とＴＯＳ１０の搬入票（電子）情報が不一致の場合は、港湾情報システム２８から海貨業者・倉庫業者等１８（又は荷主３０）やクラーク１７に情報の不一致を伝達し、海貨業者・倉庫業者等１８が登録情報を再度修正する。これは海貨業者・倉庫業者等１８の誤入力やＴＯＳ１０の情報がブッキング時点より更新された場合に起こりえる。
【００２５】
＜７：搬入票（電子）情報・搬入予約情報を送信（港湾情報システム２８→ＴＯＳ１０）＞
情報の照合作業が終了した段階で、港湾情報システム２８からＴＯＳ１０に搬入票（電子）情報・搬入予約情報を加えた情報の送信が行われる。これは図６に示されるような情報となる。
情報の送信後に、港湾情報システム２８、ＴＯＳ１０の搬入票（電子）情報が更新された場合、再度情報の照合が行われ情報が不一致となる場合は、前述と同様に港湾情報システム２８から海貨・倉庫等１８（又は荷主３０）やクラーク１７に情報の不一致を伝達し、海貨・倉庫等１８が登録情報を再度修正する。正しい搬入票（電子）情報をコンテナ到着前にＴＯＳ１０に送信することにより入場用のターミナルゲート１３での手続きの効率化が図れる。すなわち、ドライバー情報は、身分証となるＰＳ（Ｐｏｒｔ  Ｓｅｃｕｒｉｔｙ）カード３６のデータから得られ、これにより情報の不一致なくコンテナ番号を伝達でき、貨物情報を得ることができる。  
したがって、入場用のターミナルゲート１３では運転者３４が単にＰＳカード３６をＰＳカードリーダ３８にかざすだけでよくなる。
【００２６】
＜８：ＰＳカード３６情報の読取（ＰＳカード３６→ＰＳカードリーダ３８）＞
陸運・ドライバー３４がＰＳカード３６をＰＳカードリーダ３８にかざし、ＰＳカード情報を読み取る。
【００２７】
＜９：ＰＳカード情報の送信（ＰＳカードリーダ３８→ＴＯＳ１０・出入管理情報システム４０＞  
ＰＳカードリーダ３８からＴＯＳ１０と出入管理情報システム４０にＰＳカード情報を送信する。
【００２８】
＜１０：行先情報の送信（ＴＯＳ１０・出入管理情報システム４０→陸運・ドライバー３４）＞
ＴＯＳ１０・出入管理情報システム４０が陸運・ドライバー３４のターミナルゲートの通過許可の一部手続きを行うとともに、ＴＯＳ１０からはＰＳカードリーダー３８を通じて陸運・ドライバー３４へ搬入貨物の蔵置場所情報を送信する。
【００２９】
＜１１：入場＞
ターミナルゲートの通過許可のための他手続きも終了しクラーク１７からのターミナルゲートの通過許可がでた段階で、コンテナターミナル内に搬入車両３２が入場する。
このように、本発明の実施形態によれば、ドライバー３４が運転中でも、搬入手続きに必要となる貨物情報をＴＯＳ１０から港湾情報システム２８へ送信し、港湾情報システム２８を経由し、海貨・倉庫等の海貨端末２４に表示し、海貨業者・倉庫業者等１８の海貨端末２４で、港湾情報システム２８から呼び出した貨物情報に加え、コンテナ総重量、コンテナ自重、シール番号を追加登録して、海貨業者・倉庫業者等１８の海貨端末２４を介した港湾情報システム２８の貨物情報と、荷主３０である船社１４からの貨物情報を照合し、港湾情報システム２８へ送信する。これによりコンテナターミナル１２において、コンテナ到着前に搬入票情報を照合することができるのである。そして、ＴＯＳ１０では入場用のターミナルゲート１３が管理下にあるので、ここにトラックの運転者３４が持参しているＩＤカードとして機能するＰＳカード３６によって読取データが送信されることで、ターミナルゲート１３の通過許可の手続きの一部を行うとともに、運ぶべき照合データ（搬入票情報）からコンテナ蔵置場所情報が送信され、コンテナターミナル１２への移動がスムーズに行うことができる。運転者３４の持っているＰＳカード３６を入場用のターミナルゲート１３でＰＳカードリーダ３８にかざすだけで貨物情報の照合が行われので、入場用のターミナルゲート１３での混雑は著しく改善されることとなる。
【符号の説明】
【００３０】
１０……ターミナルオペレーションシステム、
１２……コンテナターミナル、
１３……ターミナルゲート、
１４……船社、
１６……船社端末、
１７……クラーク、
１８……海貨業者・倉庫業者等、
２０……陸運（配車係）、
２２……クラーク端末、
２４……海貨端末、
２６……陸運端末、
２８……港湾情報システム
３０……荷主、
３２……搬入車両、
３４……運転者（ドライバー）、
３６……ＰＳカード、
３８……ＰＳカードリーダ、
４０……出入管理情報システム。
【図１】
2020166724.tif 000003
【図２】
2020166724.tif 000004
【図３】
2020166724.tif 000005
【図４】
2020166724.tif 000006
【図５】
2020166724.tif 000007
【図６】
2020166724.tif 000008